(57)【要約】【課題】  基板の使用状況を確認でき、再度リサイクル使用可能な基板情報を提供することが可能な電子機器を提供する。【解決手段】  第１の不揮発性記憶媒体７を有する基板１０と、第２の不揮発性記憶媒体１３を有し基板１０に電源を供給する電源供給ユニット１１とを備え、第１の不揮発性記憶媒体７に予め記憶された基板１０の消費電流の情報と、第２の不揮発性記憶媒体１３に予め記憶された電源供給ユニット１１が供給可能な電流の情報を読み取って比較し、その結果どちらか一方の値が大きい時、第１の不揮発性記憶媒体７に予め記憶された基板で使用が許可された機能の情報を書き換える場合に、第１の不揮発性記憶媒体７に書き換えの履歴を合わせて保持しておく制御を行う制御手段１を備えた。【選択図】  図１
2005174482.tif 000002
【特許請求の範囲】
【請求項１】
第１の不揮発性記憶媒体を有する基板と、第２の不揮発性記憶媒体を有し基板に電源を供給する電源供給ユニットとを備え、前記第１の不揮発性記憶媒体に予め記憶された基板の消費電流の情報と、前記第２の不揮発性記憶媒体に予め記憶された電源供給ユニットが供給可能な電流の情報を読み取って比較し、その結果どちらか一方の値が大きい時、前記第１の不揮発性記憶媒体に予め記憶された基板で使用が許可された機能の情報を書き換える場合に、前記第１の不揮発性記憶媒体に書き換えの履歴を合わせて保持しておく制御を行う制御手段を備えたことを特徴とする電子機器。
【請求項２】
請求項１記載の電子機器において、前記制御手段は、書き換えの履歴を、取り外し可能な前記第１の不揮発性記憶媒体に保持することを特徴とする電子機器。
【請求項３】
請求項１または２記載の電子機器において、前記制御手段は、書き換えの履歴を保持する回数を制限することを特徴とする電子機器。
【発明の詳細な説明】
【技術分野】
【０００１】
本発明は、電源供ユニットとこの電源供給ユニットより電源供給を受ける基板とが別基板の電子機器に関するものである。
【背景技術】
【０００２】
電源供ユニットとこの電源供給ユニットより電源供給を受ける基板とが別基板の電子機器における基板状況の把握技術に関連して、例えば、特許文献１〜４等に記載の従来技術がある。
【特許文献１】特開２００１−１４２５７９公報
【特許文献２】特開２００１−１８４２９３公報
【特許文献３】特開２００１−０３０５７４公報
【特許文献４】特開２００１−０２２２３０公報
【発明の開示】
【発明が解決しようとする課題】
【０００３】
ＰＷＢ／ＰＣＢの共通化により、複写機等の電子機器において異機種間でもＰＷＢ／ＰＣＢが同一の場合があり、また、一部の部品実装の差異のみで他は同一という基板を使用している機種が存在する。この場合、エンジンとのＩ／Ｆ仕様が同一であれば、シリーズモデルにも使用が可能となる。
ここで、基板のリサイクルとして、旧モデルの基板を新モデルに装着、または、その逆に新モデルの基板を旧モデルに装着した場合に、基板における消費電流の差異により基板が動作しないことが予想される。
本発明では、上記問題を解決し、基板の使用状況を確認でき、再度リサイクル使用可能な基板情報を提供することが可能な電子機器を提供することを目的とする。
【課題を解決するための手段】
【０００４】
上記目的を達成するために、請求項１記載の発明は、第１の不揮発性記憶媒体を有する基板と、第２の不揮発性記憶媒体を有し基板に電源を供給する電源供給ユニットとを備え、第１の不揮発性記憶媒体に予め記憶された基板の消費電流の情報と、第２の不揮発性記憶媒体に予め記憶された電源供給ユニットが供給可能な電流の情報を読み取って比較し、その結果どちらか一方の値が大きい時、第１の不揮発性記憶媒体に予め記憶された基板で使用が許可された機能の情報を書き換える場合に、第１の不揮発性記憶媒体に書き換えの履歴を合わせて保持しておく制御を行う制御手段を備えた電子機器を最も主要な特徴とする。
請求項２記載の発明は、請求項１記載の電子機器において、制御手段は、書き換えの履歴を、取り外し可能な第１の不揮発性記憶媒体に保持する電子機器を主要な特徴とする。
請求項３記載の発明は、請求項１または２記載の電子機器において、制御手段は、書き換えの履歴を保持する回数を制限する電子機器を主要な特徴とする。
【発明の効果】
【０００５】
請求項１によれば、基板の消費電力情報の値と電源供給ユニットの供給可能な電流情報の値を比較し、消費電流の情報を書き換える場合に書き換えの履歴を合わせて保持しておくため、どの時点から、どの回路ブロックに電源を供給しなくなったかを判別でき、通電時間から寿命を判断する場合に、通電していないため、部品寿命に達していないことを判別することが可能となり、その結果、基板のリサイクル寿命を長くすることが可能となる。
請求項２によれば、消費電流の情報を書き換える場合に書き換えの履歴を取り外し可能な第１の不揮発性記憶媒体に書き込んでおくことにより、同一の基板に変更時には消費電流の情報を引き継ぐことが可能となる。
請求項３によれば、消費電流の情報を書き換える場合に書き換えの回数を制限することにより、第１の不揮発性記憶媒体の容量を少なくすることができ、または、書き換え回数を現在からさかのぼり、一定回数のデータにて寿命計算、動作制限をしているシステムにおいては、古いデータを上書きすることにより、一定のメモリ容量にて同様のシステム動作が可能となる。
【発明を実施するための最良の形態】
【０００６】
以下、図面を参照して、本発明の実施形態を詳細に説明する。
図１は、本発明の実施の形態に係る電子機器の全体ブロック図である。基板１０においては、ＣＰＵ１にシステムバスを介して、ＲＯＭ２、ＲＡＭ３およびハードディスク４、タイマ５、操作表示部６、データ（基板１０の消費電流の情報、基板１０で使用が許可された機能の情報等）を保存する不揮発性メモリ７、基板１０で使用されるオプションカード／デバイスのＩ／ＦであるオプションＩ／Ｆ８が接続されている。ＣＰＵ１がこれら基板各部２〜８を統括制御する。
タイマ５は、ＣＰＵ１が基板各部を制御する際に利用するタイマ機能であり、例えば、基板各部を同期させるためのタイミングをカウントする際に利用する。操作部６は、駆動条件、基板状態、入力条件などの各種情報を表示すると共にユーザによる機能選択などの選択入力や設定入力等の入力操作を行うためのタッチパネル付き表示操作ＬＣＤ（Liquid Crystal Display）で構成されている。
電源供給ユニット１１は、基板１０へ電源供給を行う電源供給部１２と、電源供給ユニット１０が供給可能な電流のデータを保存する不揮発性メモリ１３により構成されている。
本発明の例では、メイン電源ＯＮ時に電源供給ユニット１１からの供給可能電流Ａの情報を読み込み、基板１０上の不揮発性メモリ７内の消費電流容量Ｂとの比較を行う。供給可能電流ＡがＢよりも少ない場合には基板１０にて消費する電流はＡであり、基板１０内の一部の回路（たとえばハードディスク４など）には電源を供給しないように動作する。
【実施例１】
【０００７】
実施例１では、基板１０内での消費電流がＡとなった場合に基板１０上の不揮発性メモリ７に消費電流がＡとなったこと、ある一部の回路ブロックＣには電流を供給していないことを示すデータを保持しておき、次回電源ＯＮ時には基板１０の合計の消費電流はＢだが、前回の電源ＯＮ時からは基板１０内での消費電流はＡであり、その時点から回路ブロックＣには電源を供給していないことが判別できるように動作する（この制御はＣＰＵ１によって行われる。以下も同様である）。
【実施例２】
【０００８】
実施例２では、消費電流がＡとなったこと、回路ブロックＣには電流を供給していない旨の情報を基板１０上の不揮発性メモリ７に保存するように動作する。
【実施例３】
【０００９】
実施例３では、基板１０のリサイクルを複数回実施し、電源供給ユニット１１とは別エンジンの電源供給ユニットに装着された場合に消費電流Ａ’になった場合に消費電流Ａ’になったこと、このときの電源供給していないブロックＣ’の情報を別途保持するように動作するが、不揮発性メモリ７内における使用できる容量を考慮し、書き換え回数、保存できる回数を制限するように動作する。
ここで、保存できる回数に達した場合には、一番古いデータを上書きするように動作してもよいし、または、書き換え回数に達したため、リサイクル寿命として基板交換を促すように動作することも可能である。
【図面の簡単な説明】
【００１０】
【図１】本発明の実施の形態に係る電子機器の全体ブロック図である。
【符号の説明】
【００１１】
１  ＣＰＵ
７  不揮発メモリ（第１の不揮発性記憶媒体）
１０  基板
１３  不揮発メモリ（第２の不揮発性記憶媒体）
【図１】
2005174482.tif 000003